(57)【特許請求の範囲】
【請求項１】
ノズル部が先端に設けられた振出配管をシリンダにより格納ストッパと振出ストッパとの間で鉛直軸の回りに旋回させる放水銃の移動架台において、
シリンダと振出配管との間に配設されると共に振出配管が振出ストッパに当接されたときに振出配管の位置をロックするロックリンク機構を備え、
前記ロックリンク機構は、
円弧状の縁部を有する固定された案内部材と、
前記振出配管の旋回と共に前記案内部材の円弧状の縁部に接しながら移動し且つ前記振出配管が前記振出ストッパに当接されたときに、前記案内部材の円弧状の縁部の端部に係合する係合部材と
を含むことを特徴とする放水銃の移動架台。
【請求項２】
前記ロックリンク機構の前記係合部材は、前記振出配管が前記格納ストッパに当接されたときに、前記案内部材の円弧状の他方の縁部の端部に係合して、前記振出配管の位置をロックする請求項１に記載の放水銃の移動架台。
【請求項３】
前記係合部材は、ローラーを有する請求項１または２に記載の放水銃の移動架台。
【請求項４】
前記振出配管が、防食性の素材から形成される請求項１乃至３のいずれか一項に記載の放水銃の移動架台。
【発明の詳細な説明】
【０００１】
【発明の属する技術分野】
この発明は、放水銃の移動架台に係り、特に振出配管を鉛直軸の回りに旋回させて振出配管の先端に設けられたノズル部を振り出した状態で放水を行う放水銃の移動架台に関する。
【０００２】
【従来の技術】
従来のこの種の放水銃を図５及び図６に示す。この放水銃は、ゴミ焼却場のゴミピットやアトリウム空間等の大空間に対応して設けられた放水銃であり、架台１上に振出配管２が水平方向に延びて設けられている。この振出配管２は基端部において鉛直軸の回りに旋回可能になっており、この基端部に供給配管３を介して図示しない消火水供給源が接続されている。振出配管２の先端部には放水するためのノズル部４が取り付けられている。振出配管２の基端部側には水平面内で且つ斜めに操作用ロッド５が突出固着されており、この操作用ロッド５の先端に電動シリンダ６のプランジャ７が回動自在に取り付けられている。これにより、プランジャ７の伸縮に応じて振出配管２がノズル部４と共に水平面内で旋回するようになっている。また、架台１の前端部には振出ストッパ８が固定され、架台１の側端部には格納ストッパ９が固定されている。
振出ストッパ８は、図４において符号１６で示されるものと同じ形状を有している。すなわち、一端側に振出配管２（図４では符号１２）が嵌入される凹部を有し、図において振出配管の左方への移動を規制するものである。なお、振出ストッパを水平方向に１８０度回転させれば、格納ストッパとなる。
【０００３】
電動シリンダ６のプランジャ７を縮めて振出配管２を格納ストッパ９に当接させた状態で図５に鎖線で示されるノズル部４と振出配管２が格納される。図７（ａ）に示すこの格納状態から、プランジャ７を伸ばすと、図７（ｂ）のように振出配管２が旋回し、図７（ｃ）のように振出配管２が振出ストッパ８に当接した振出状態で放水が行われる。ここで、ノズル部４は振出配管２に対して旋回可能に取り付けられており、放水が必要な方向にノズル部４が向けられた状態で放水される。なお、図７において、振出配管２と振出ストッパ８及び格納ストッパ９とは、水平面内において同じ高さ位置にあり、シリンダ６は高さ方向において少しずれた位置にある。このため、プランジャ７は格納ストッパ９に干渉することがない。
【０００４】
【発明が解決しようとする課題】
しかしながら、放水時には大きな放水反力がノズル部４及び振出配管２に作用する。例えば、図７（ｃ）に示されるようにノズル取付部１０に矢印の方向に放水反力が作用すると、振出配管２及び操作用ロッド５を介して電動シリンダ６のプランジャ７にこれを縮める方向の反力となって伝わる。従って、放水反力によりノズル部４が動くことなく安定した放水を行うためには、自己保持力（推力）の大きな電動シリンダ６を用いる必要があるという問題があった。
【０００５】
この発明はこのような問題点を解消するためになされたもので、推力の小さなシリンダを使用しても安定した放水を行うことができる放水銃の移動架台を提供することを目的とする。
【０００６】
【課題を解決するための手段】
この発明に係る放水銃の移動架台は、ノズル部が先端に設けられた振出配管をシリンダにより格納ストッパと振出ストッパとの間で鉛直軸の回りに旋回させる放水銃の移動架台において、シリンダと振出配管との間に配設されると共に振出配管が振出ストッパに当接されたときに振出配管の位置をロックするロックリンク機構を備え、ロックリンク機構は、円弧状の縁部を有する固定された案内部材と、振出配管の旋回と共に案内部材の円弧状の縁部に接しながら移動し且つ振出配管が振出ストッパに当接されたときに、案内部材の円弧状の縁部の端部に係合する係合部材とを含むものである。
なお、ロックリンク機構の係合部材は、振出配管が格納ストッパに当接されたときに、案内部材の円弧状の他方の縁部の端部に係合して、振出配管の位置をロックすることができる。また、係合部材は、ローラーから形成することができる。
【０００７】
さらに好ましくは、振出配管が、防食性の素材から形成される。
【０００８】
【発明の実施の形態】
以下、この発明の実施の形態を添付図面に基づいて説明する。
図１にこの発明の実施の形態に係る放水銃の移動架台を示す。架台１１に振出配管１２が水平方向に延びて設けられている。この振出配管１２は基端部において鉛直軸の回りに旋回可能になっており、この基端部に供給配管１３を介して図示しない消火水供給源が接続されている。振出配管１２の先端部にはノズル部を取り付けるためのノズル取付部１４が設けられ、振出配管１２の基端部側には水平面内で且つ斜めに操作用ロッド１５が突出固着されている。また、架台１１の前端部には振出ストッパ１６が固定され、架台１１の側端部には格納ストッパ１７が固定されている。
【０００９】
架台１１には振出配管１２を旋回させるための電動シリンダ１８が配設され、この電動シリンダ１８のプランジャ１９の先端と操作用ロッド１５の先端との間に接続ロッド２０が連結されている。接続ロッド２０はプランジャ１９及び操作用ロッド１５にそれぞれ回動自在に取り付けられている。この接続ロッド２０の中間部から左右に腕部２１及び２２が張り出し、それぞれの先端に係合部材となるローラー２３及び２４が設けられている。また、架台１１には振出配管１２の旋回中心を中心とする円弧状の縁部を有した案内部材２５が固定されている。これら操作用ロッド１５、接続ロッド２０、腕部２１及び２２、ローラー２３及び２４、案内部材２５によりこの発明の特徴であるロックリンク機構が形成されている。
【００１０】
次に、この実施の形態の動作について説明する。図２（ａ）に示されるように、電動シリンダ１８のプランジャ１９が縮められた格納状態にあっては、振出配管１２が格納ストッパ１７に当接すると共に一方のローラー２４が案内部材２５の一端に係合してロックされている。すなわち、このとき振出配管１２は図２（ａ）において反時計方向への回転は格納ストッパ１７によって規制され、時計方向への回転はローラー２４が案内部材２５の一端に係合することにより規制されている。なお、図２において、振出配管１２と振出ストッパ１６及び格納ストッパ１７とは、水平面内において同じ高さ位置にあり、シリンダ１８は高さ方向において少しずれた位置にある。このため、プランジャ１９は格納ストッパ１７に干渉することがない。また、プランジャ１９の伸び出す方向が格納ストッパ１７の内側になるように構成する場合には、シリンダ１８と振出配管１２が互いに同じ水平面内にあってもよい。
【００１１】
ここで図示しないノズル部を振り出すために電動シリンダ１８のプランジャ１９を伸ばすと、図２（ｂ）のように接続ロッド２０が操作用ロッド１５と一直線状になり、ローラー２４が案内部材２５の一端から外れてロックが解除されると共に他方のローラー２３が案内部材２５の円弧状の縁部に当接する。
【００１２】
さらに、電動シリンダ１８のプランジャ１９を伸ばすと、図２（ｃ）に示されるように、双方のローラー２３及び２４が共に案内部材２５の円弧状の縁部に当接しつつ転動し、振出配管１２が時計方向に旋回し始める。なお、このとき、接続ロッド２０は操作用ロッド１５と一直線状になったままである。
【００１３】
このようにして図２（ｄ）に示されるように振出配管１２が振出ストッパ１６に当接すると、ローラー２３が案内部材２５の円弧状の縁部から外れるため、この状態でさらに電動シリンダ１８のプランジャ１９を伸ばすと、図２（ｅ）に示されるように、接続ロッド２０が操作用ロッド１５に対して傾き、ローラー２３が案内部材２５の他端に係合する。これにより、振出配管１２がロックされる。すなわち、振出配管１２は図２（ｅ）において時計方向への回転は振出ストッパ１６によって規制され、反時計方向への回転はローラー２３が案内部材２５の他端に係合することにより規制されている。
【００１４】
このため、放水によりノズル部を介して振出配管１２に反時計方向へ回転させようとする反力が作用した場合には、図３に示されるように、放水反力が操作用ロッド１５、接続ロッド２０、腕部２１及びローラー２３を介して案内部材２５に伝えられる。その結果、放水反力が電動シリンダ１８に直接伝わることがなく、電動シリンダ１８として振出配管１２を振り出すだけの推力を有するものを用いればよいこととなる。
【００１５】
なお、格納時には、上述した振出時の動作とは全く逆の動作となる。
また、振出配管１２が防食性のあるステンレス配管や樹脂配管から形成されると共に振出ストッパ１６及び格納ストッパ１７も樹脂やステンレス等の防食性のある素材から形成されている。このため、図４に示されるように、振出配管１２が振出ストッパ１６に当接し、振出配管１２が移動する際に放水反力によって振出ストッパ１６に押しつけられても、振出配管１２と振出ストッパ１６との接触部の塗装が剥がれて防食性能が低下するといったことが防止されている。なお、振出配管１２の少なくとも外周部と振出ストッパ１６及び格納ストッパ１７の振出配管１２との接触部が防食性の素材から形成されていればよく、例えば振出配管１２を従来と同様の鋼等の金属から形成し、振出ストッパ１６及び格納ストッパ１７に接触する外周部にステンレスの板を巻き付けてもよい。
【００１６】
上記の実施の形態においては、案内部材２５に係合する係合部材として円弧状の縁部に沿って転動するローラー２３及び２４を用いたが、これに限るものではなく、案内部材２５の円弧状の縁部に沿ってスライドするようなスライド部材を用いることもできる。なお、ノズル部が重い場合には、振出配管の下方で且つ振出配管と平行な位置関係にノズル部を支持する補強用アームを設けてもよい。この場合、ロックリンク機構はシリンダと補強用アームとの間に配設される。また、格納ストッパが補強用アームと当接する場合には、補強用アームも防食性の素材から形成することが望ましい。
【００１７】
【発明の効果】
以上説明したように、この発明によれば、シリンダと振出配管との間に配設されると共に振出配管が格納ストッパ及び振出ストッパに当接されたときにそれぞれ振出配管の位置をロックするロックリンク機構を備えているので、推力の小さなシリンダを使用しても放水反力によってノズル部が動くことが防止され、安定した放水を行うことができる。
また、振出配管または補強用アームの少なくとも外周部並びに格納ストッパ及び振出ストッパの振出配管または補強用アームとの接触部を防食性の素材から形成すれば、塗装が剥がれたり塗装部に傷が付くことによる防食性能の低下や商品価値観の低下を防止することができる。
【図面の簡単な説明】
【図１】  この発明の実施の形態に係る放水銃の移動架台を示す平面図である。
【図２】  図１の移動架台における振出配管の旋回の様子を段階的に示す概略図である。
【図３】  図１の移動架台において振出配管が振出状態にあるときのロックリンク機構の一部を示す拡大平面図である。
【図４】  図１の移動架台において振出配管が振出ストッパに当接した状態を示す正面図である。
【図５】  従来の放水銃の移動架台を示す平面図である。
【図６】  図５の移動架台を示す側面図である。
【図７】  図５の移動架台における振出配管の旋回の様子を段階的に示す概略図である。
【符号の説明】
１１  架台、１２  振出配管、１３  供給配管、１４  ノズル取付部、１５  操作用ロッド、１６  振出ストッパ、１７  格納ストッパ、１８  電動シリンダ、１９  プランジャ、２０  接続ロッド、２１，２２  腕部、２３，２４  ローラー、２５  案内部材。
【図１】
0004262415.tif 000002
【図２】
0004262415.tif 000003
【図３】
0004262415.tif 000004
【図４】
0004262415.tif 000005
【図５】
0004262415.tif 000006
【図６】
0004262415.tif 000007
【図７】
0004262415.tif 000008